(57)【要約】      （修正有）【課題】折り畳みホイール及び複数の弁を備える繊維製品吸引システムの提供。【解決手段】折り畳みホイール２０は、互いに隣接する複数の突出ホイール２２１及び複数の凹みホイール２２０を備える。複数の吸引チャネル及び少なくとも１つの接続チャネルが突出ホイール内に配置されており、接続チャネルは吸引チャネルに流体接続されている。弁３０は、折り畳みホイールの凹みホイール上に配置され、接続開口３６、弁チャネル及び複数の弁開口を含み、弁開口は弁の２つの側面に配置されており、弁チャネルを介して接続開口に流体接続されている。空気抜き器が、弁を通して、それぞれの吸引チャネル内のガスを引き抜き、突出ホイールの吸引チャネルの部分上で負圧を生成することができ、それによって、繊維製品吸引システムを使用して紙を吸引するとともに折り畳むことができる。【選択図】図３
2020070193.tif 000002
【特許請求の範囲】
【請求項１】
繊維製品吸引システムであって、
複数の突出ホイール及び複数の凹みホイールを含む折り畳みホイールであって、前記突出ホイール及び前記凹みホイールは互いに隣接して配置されている、折り畳みホイール、
前記突出ホイール内に配置されている複数の吸引チャネル、
前記突出ホイール内に配置されているとともに、前記吸引チャネルに流体接続されている少なくとも１つの接続チャネル、並びに、
接続開口、弁チャネル及び複数の弁開口を含む複数の弁であって、前記接続開口は、前記弁チャネルを通して前記弁開口に流体接続されており、該複数の弁は、前記凹みホイールの部分にそれぞれ配置されており、前記弁開口は、該弁に隣接する前記突出ホイールの前記接続チャネルに流体接続されている、複数の弁、を備える、
繊維製品吸引システム。
【請求項２】
前記突出ホイールはディスク形状又は円筒形であり、上面及び２つの側面を含み、前記吸引チャネルは前記突出ホイールの前記上面に接続されており、前記接続チャネルは前記突出ホイールの前記側面のうちの一方に接続されていることを特徴とする、請求項１に記載の繊維製品吸引システム。
【請求項３】
前記弁は、アーチ状、湾曲状、半円弧状又は部分的に環状であり、前記凹みホイールの表面に部分的に配置されており、前記弁の２つの側面上の、前記突出ホイールの前記接続チャネルは、それらの間の前記弁に向かって設けられることを特徴とする、請求項２に記載の繊維製品吸引システム。
【請求項４】
前記弁は、外面、内面及び２つの側面を含み、該２つの側面は前記外面及び前記内面に接続されており、前記弁の前記内面は、前記凹みホイールの表面に部分的に取り付けられ、前記弁の前記２つの側面は、２つの隣り合う前記突出ホイールの前記側面にそれぞれ取り付けられることを特徴とする、請求項３に記載の繊維製品吸引システム。
【請求項５】
前記弁開口は、前記弁の前記２つの側面にそれぞれ配置されており、２つの隣り合う前記突出ホイールの前記接続チャネルにそれぞれ接続されていることを特徴とする、請求項３に記載の繊維製品吸引システム。
【請求項６】
前記吸引チャネルは前記突出ホイールの径方向に沿って配置されており、前記接続チャネルは、前記突出ホイールの軸方向に沿って配置されていることを特徴とする、請求項２に記載の繊維製品吸引システム。
【請求項７】
複数の接続管をそれぞれ介してそれぞれの前記弁の前記接続開口に接続するとともに、前記弁に隣接する前記突出ホイールの前記接続チャネルの部分及び前記吸引チャネルの部分内のガスを引き抜き、前記吸引チャネルの部分上で負圧を形成する空気抜き器を更に備える、請求項１に記載の繊維製品吸引システム。
【請求項８】
前記突出ホイールは複数の突起を含み、前記吸引チャネルは前記突起のそれぞれに隣接し、前記空気抜き器は、前記吸引チャネル内のガスを引き抜き、前記突起の部分に隣接する前記吸引チャネル上で前記負圧を形成することを特徴とする、請求項７に記載の繊維製品吸引システム。
【請求項９】
前記突出ホイールは複数の溝を含み、前記吸引チャネルは前記溝のそれぞれに配置されており、前記空気抜き器は、前記吸引チャネル内のガスを引き抜き、前記溝の部分において吸引チャネル上で前記負圧を形成することを特徴とする、請求項７に記載の繊維製品吸引システム。
【請求項１０】
前記折り畳みホイールは、前記突出ホイールの前記吸引チャネルの部分が、前記接続チャネルを通して前記弁開口に流体接続されるように、前記弁に対して回転することを特徴とする、請求項１に記載の繊維製品吸引システム。
【請求項１１】
２つの隣り合う前記弁間の前記凹みホイールには前記弁が配置されないことを特徴とする、請求項１に記載の繊維製品吸引システム。
【発明の詳細な説明】
【技術分野】
【０００１】
本発明は、繊維製品吸引システムに関し、より詳細には、紙を吸引するとともに折り畳む繊維製品吸引システムに関する。
【背景技術】
【０００２】
図１は、従来技術による折り畳みホイールの断面図である。図２は、従来技術による折り畳みホイールの突出ホイールの断面図である。
折り畳みホイール１０は、シャフト１１、ホイール１２及び通路１３を主に含み、通路１３は、シャフト１１の軸方向に対して平行であり、ホイール１２全体又はシャフト１１を通って延在する。ホイール１２は、複数の突出ホイール１２１及び複数の凹みホイール１２０を含み、突出ホイール１２１のそれぞれには、通路１３に接続されている複数の吸引チャネル１２１２／１２１４が設けられている。
【０００３】
少なくとも１つの空気抜き器１５が通路１３に接続されている。例えば、空気抜き器１５は、２つの接続管１７を通して通路１３の２つの端に接続されている。紙は、突出ホイール１２１上の吸引チャネル１２１２／１２１４によって吸引され、次に、折り畳みホイール１０によって折り畳まれる。
【０００４】
具体的には、吸引チャネル１２１２／１２１４が予め決められた位置まで回転されると、空気抜き器１５は、接続管１７及び通路１３を介して吸引チャネル１２１２／１２１４内のガスを引き抜き、それによって、吸引チャネル１２１２／１２１４の開口が負圧を形成し、ホイール１２に対して紙を吸引する。
【０００５】
しかしながら、通路１３は、折り畳みホイール１０の２つの端に位置付けられる２つの開口しか有せず、空気抜き器１５は、２つの接続管１７を通して通路１３の２つの開口に接続されるため、折り畳みホイール１０の中央で生成される負圧は、不十分であるか又は不均等である可能性がある。折り畳みホイール１０若しくは通路１３の長さが長すぎる場合、又は、回転速度がより速い場合、紙は折り畳みホイール１０から落下する可能性があり、それによって、折り畳まれる紙の質に影響を与える。
【発明の概要】
【発明が解決しようとする課題】
【０００６】
本発明の目的は、折り畳みホイール及び複数の弁を備える繊維製品吸引システムを提供することである。
折り畳みホイールは、シャフト上に隣接して配置される複数の突出ホイール及び複数の凹みホイールを備える。突出ホイールには、複数の接続チャネル及び複数の吸引チャネルが設けられており、吸引チャネルは、突出ホイールの上面及び接続チャネルに接続されている。空気抜き器は、複数の弁及び接続チャネルを通して吸引チャネル内のガスを引き抜くことが可能であり、それによって、突出ホイールの上面の吸引チャネルは、均一な負圧を生成し、紙は、折り畳みホイールに対して迅速に吸引されるか又は折り畳みホイールから解放される。
【０００７】
本発明の目的は、凹みホイールの部分に弁が配置され、少なくとも隣り合う２つの弁間の凹みホイールが弁を配置しない、繊維製品吸引システムを提供することである。
それぞれの弁は、接続開口、弁チャネル及び複数の弁開口を含み、接続開口は、弁チャネル及び弁開口を介して、対応する突出ホイールの接続チャネル及び吸引チャネルに接続されている。空気抜き器は、弁を介して２つの隣接する突出ホイール上の吸引チャネル内のガスを引き抜き、折り畳みホイール上で負圧を迅速に形成できるため、紙は、折り畳みホイールに対して迅速に吸引されるか又は折り畳みホイールから解放されることが可能である。
【０００８】
本発明の別の目的は、折り畳みホイール及び複数の弁を備える繊維製品吸引システムを提供することである。
折り畳みホイールは、複数の突出ホイール及び複数の凹みホイールを備える。それぞれの突出ホイールの上面は、複数の突起及び複数の溝を有し、突起及び溝には吸引チャネルが設けられている。弁は、接続チャネルを介して吸引チャネルに流体接続されており、空気抜き器が作動されると、突起及び／又は溝の部分に隣接する吸引チャネルは、負圧を生成して紙を吸引する。
【課題を解決するための手段】
【０００９】
本発明は、複数の突出ホイール及び複数の凹みホイールを含む折り畳みホイールであって、突出ホイール及び凹みホイールは互いに隣接して配置されている、折り畳みホイール、突出ホイール内に配置されている複数の吸引チャネル、突出ホイール内に配置されているとともに、吸引チャネルに流体接続されている少なくとも１つの接続チャネル、並びに、接続開口、弁チャネル及び複数の弁開口を含む複数の弁であって、接続開口は、弁チャネルを通して弁開口に流体接続されており、複数の弁は、凹みホイールの部分にそれぞれ配置されており、弁開口は、弁に隣接する突出ホイールの接続チャネルに流体接続されている、複数の弁を備える、繊維製品吸引システムを提供する。
【００１０】
本発明の構造、並びに、好ましい使用形態、更なる目的及び利点は、添付の図面と併せて幾つかの例示的な実施形態の以下の詳細な説明を参照することによって最も良く理解される。
【図面の簡単な説明】
【００１１】
【図１】従来技術による折り畳みホイールの断面図である。
【図２】従来技術による折り畳みホイールの突出ホイールの断面図である。
【図３】本発明の一実施形態による繊維製品吸引システムの断面図である。
【図４】本発明の一実施形態による繊維製品吸引システムの折り畳みホイールの断面図である。
【図５】本発明の一実施形態による繊維製品吸引システムの折り畳みホイール及び弁の断面図である。
【図６】本発明の一実施形態による繊維製品吸引システムの弁の側面図である。
【図７】本発明の一実施形態による繊維製品吸引システムの弁の断面図である。
【図８】本発明の一実施形態による繊維製品吸引システムの突出ホイールの断面図である。
【図９】本発明の一実施形態による繊維製品吸引システムの突出ホイール及び弁の断面図である。
【図１０】本発明の一実施形態による繊維製品吸引システムの折り畳み機構の断面図である。
【発明を実施するための形態】
【００１２】
図３は、本発明の一実施形態による繊維製品吸引システムの断面図である。図４は、本発明の一実施形態による繊維製品吸引システムの折り畳みホイールの断面図である。図５は、本発明の一実施形態による繊維製品吸引システムの折り畳みホイール及び弁の断面図である。図６は、本発明の一実施形態による繊維製品吸引システムの弁の側面図である。図７は、本発明の一実施形態による繊維製品吸引システムの弁の断面図である。
【００１３】
本発明の繊維製品吸引システムは、紙等の繊維製品を吸引するとともに、繊維製品を折り畳むために使用される。繊維製品吸引システムは、折り畳みホイール２０及び複数の弁３０を主に備え、折り畳みホイール２０は、シャフト２１及びホイール２２を更に含む。
【００１４】
ホイール２２は、複数の突出ホイール２２１及び複数の凹みホイール２２０を含み、突出ホイール２２１及び凹みホイール２２０は、シャフト２１上に隣接して配置されている。少なくとも１つの接続チャネル２２１６及び複数の吸引チャネル２２１２／２２１４が、突出ホイール２２１のそれぞれの内部に配置されており、接続チャネル２２１６は吸引チャネル２２１２／２２１４に流体接続されている。
【００１５】
具体的には、突出ホイール２２１は、ディスク形状又は円筒形であり、上面２２１１及び２つの側面２２１３を含むことができ、側面２２１３は環状であり、上面２２１１はアーチ形の面であり、２つの側面２２１３と接続されている。本発明の一実施形態では、接続チャネル２２１６は、突出ホイール２２１の軸方向に沿って配置でき、接続チャネル２２１６の一端は、突出ホイール２２１の１つの側面２２１３に接続されている。
吸引チャネル２２１２／２２１４は、突出ホイール２２１の径方向に沿って配置でき、吸引チャネル２２１２／２２１４の一端は突出ホイール２２１の上面２２１１に接続されており、他端は接続チャネル２２１６に接続されている。例えば、吸引チャネル２２１２／２２１４は、接続チャネル２２１６に鉛直に接続できる。
【００１６】
本発明の一実施形態では、凹みホイール２２０は、２つの隣り合う突出ホイール２２１間に位置付けられ、２つの隣接する突出ホイール２２１の接続チャネル２２１６は互いに面する。例えば、側面２２１３上の、２つの隣り合うホイールの突出ホイール２２１の接続チャネル２２１６の開口は、図４に示されているように、互いに面し、同じ凹みホイール２２０に面する。
【００１７】
弁３０は、凹みホイール２２０の部分内にそれぞれ配置されている。例えば、弁３０の形状は、アーチ形、湾曲状、半円弧状又は部分リング形状であり、凹みホイール２２０の表面に部分的に埋め込まれる。本発明の一実施形態では、弁３０は、２つの隣り合う弁３０間に位置付けられる少なくとも１つの凹みホイール２２０に、弁３０を配置しないように、凹みホイール２２０の部分に離間して配置できる。
実際の用途では、単一の弁３０が、隣り合う２つの突出ホイール２２１の接続チャネル２２１６を流体接続できるため、空気抜き器２５は、単一の弁３０を介して隣り合う２つの突出ホイール２２１の吸引チャネル２２１２／２２１４内のガスを引き抜き、次に、吸引チャネル２２１２／２２１４上で負圧を形成できる。
【００１８】
弁３０は、外面３１１、内面３１３及び２つの側面３１５を含み、２つの側面３１５は外面３１１及び内面３１３に接続されている。例えば、外面３１１及び内面３１３は、円弧形状の湾曲した表面であってもよく、側面３１５は部分的に環状の平面であり、外面３１１及び内面３１３と接続されている。
【００１９】
弁３０は、接続開口３６、弁チャネル３４及び複数の弁開口３２を主に含み、図６及び図７に示されているように、接続開口３６は、弁３０の一端に位置付けられており、弁開口３２は弁３０の２つの側面３１５にそれぞれ位置付けられており、接続開口３６は、弁チャネル３４を通して弁開口３２に流体接続されている。
【００２０】
弁３０が凹みホイール２２０内に配置されるとき、弁３０の内面３１３は、凹みホイール２２０の表面に部分的に取り付けられ、弁３０の２つの側面３１５は、隣り合う２つの突出ホイール２２１の側面２２１３にそれぞれ取り付けられる。したがって、２つの弁開口３２は、図５に示されているように、接続チャネル２２１６を通して吸引チャネル２２１２／２２１４にそれぞれ流体接続される。換言すると、隣り合う２つの突出ホイール２２１の接続チャネル２２１６は、それらの間の弁３０に面する。
【００２１】
空気抜き器２５は、弁３０の接続開口３６に流体接続される。例えば、空気抜き器２５は、複数の接続管３８を通してそれぞれの弁３０の接続開口３６に接続され、それぞれの弁３０の弁チャネル３４、弁開口３２及び接続チャネル２２１６を通して、隣接する突出ホイール２２１の接続チャネル２２１６の部分及び吸引チャネル２２１２／２２１４の部分に流体接続される。空気抜き器２５が作動されると、突出ホイール２２１の吸引チャネル２２１２／２２１４の部分上で負圧が形成され、それによって、繊維製品（紙）が突出ホイール２２１に対して吸引される。
【００２２】
具体的には、折り畳みホイール２２を弁３０に対して回転させることができ、それによって、折り畳みホイール２２の突出ホイール２２１の吸引チャネル２２１４の部分が、接続チャネル２２１６を介して弁３０の弁開口３２に流体接続され、突出ホイール２２１の吸引チャネル２２１４の部分上で負圧が形成される。
【００２３】
本発明の繊維製品吸引システムは、折り畳みホイール２０の凹みホイール２２０の部分内にそれぞれ配置される複数の弁３０を備え、それぞれの折り畳みホイール２０の接続チャネル２２１６は、弁３０の接続開口３６にそれぞれ流体接続される。したがって、空気抜き器２５は、直接的に弁３０を介して、それぞれの突出ホイール２２１の接続チャネル２２１６に接続され、突出ホイール２２１の吸引チャネル２２１２／２２１４上に負圧を迅速に形成できる。
【００２４】
具体的には、空気抜き器２５が起動されると、同じか又は同様の量の負圧を、突出ホイール２２１の吸引チャネル２２１２／２２１４上に迅速に形成できる。例えば、それぞれの突出ホイール２２１の同じ角度におけるそれぞれの吸引チャネル２２１２／２２１４は、負圧を同時に生成し、それによって、折り畳みホイール２０は、折り畳みホイール２０の高速の回転を支援するように均一な吸引力を生成することが可能である。
折り畳みホイール２０の長さが長い場合であっても、折り畳みホイール２０の中間における突出ホイール２２１の吸引チャネル２２１２／２２１４は、不十分な吸引の問題を引き起こさず、繊維製品が折り畳みホイール２０から落下すること及び繊維製品に皺を生じることを回避する。
【００２５】
本発明の折り畳みホイール２０の接続チャネル２２１６は、折り畳みホイール２０全体を通って延在せず、それぞれの接続チャネル２２１６は突出ホイール２２１のそれぞれに配置され、空気抜き器２５は、複数の接続管３８及び弁３０を通して、それぞれの折り畳みホイール２０の接続チャネル２２１６の部分に流体接続される。対照的に、図１に記載されている従来の折り畳みホイール１０では、通路１３は、ホイール１２全体又はシャフト１１を通って延在する。
【００２６】
本発明の１つの実施形態では、隣り合う２つの凹みホイール２２０の両方に弁３０が設けられることはない。換言すると、２つの隣り合う弁３０間の少なくとも１つの凹みホイール２２０には、弁３０を配置しない。
【００２７】
図８は、本発明の一実施形態による繊維製品吸引システムの突出ホイールの断面図である。図９は、本発明の一実施形態による繊維製品吸引システムの突出ホイール及び弁の断面図である。
折り畳みホイール２０の突出ホイール２２１には、複数の溝２２１５及び／又は突起２２１７が設けられ、溝２２１５及び突起２２１７は、突出ホイール２２１の表面上に交互に配置されている。吸引チャネル２２１２／２２１４は、溝２２１５のそれぞれに、また、それぞれの突起２２１７の両側に隣接して配置でき、吸引チャネル２２１２／２２１４は、接続チャネル２２１６に流体接続されている。
【００２８】
折り畳みホイール２０が予め決められた位置又は角度に回転されると、空気抜き器２５は、突起２２１７の部分に隣接する吸引チャネル２２１２／２２１４、及び、溝２２１５の部分に位置付けられる吸引チャネル２２１２／２２１４上に負圧を形成する。例えば、それぞれの突出ホイール２２１の同じ角度における突起２２１７及び／又は溝２２１５の両側に位置付けられる吸引チャネル２２１２／２２１４は、負圧を同時に形成する。
【００２９】
具体的には、折り畳みホイール２０が予め決められた位置又は角度まで回転すると、突出ホイール２２１上の吸引チャネル２２１２／２２１４の部分が、弁３０の両側面に位置付けられる弁開口３２と流体接続する。したがって、空気抜き器２５は、空気抜き器２５に流体接続される吸引チャネル２２１２／２２１４内のガスを引き抜き、吸引チャネル２２１２／２２１４上で負圧を形成し、紙を吸引して折り畳むことができる。
【００３０】
図１０は、本発明の一実施形態による繊維製品吸引システムの折り畳み機構の断面図である。折り畳み機構は、２つのカッタホイール５０／５１、２つの折り畳みホイール２０／２０’及び２つの折り畳みフィンガ４０／４０’を含み、２つのカッタホイール５０／５１は互いに隣接して配置され、２つの折り畳みホイール２０／２０’も隣接して配置される。
【００３１】
２つのカッタホイール５０／５１は、それぞれ時計回り及び反時計回りに回転し、それらの間を通る繊維製品Ｌを切断する。２つの折り畳みホイール２０／２０’も、それぞれ時計回り及び反時計回りに回転し、それらの間を通る繊維製品Ｌを受け取るとともに折り畳むのに使用される。
折り畳みホイール２０／２０’はカッタホイール５０／５１の下流に位置付けられ、折り畳みホイール２０はカッタホイール５０に隣接し、隣接するカッタホイール５０から繊維製品Ｌを受け取る。
【００３２】
折り畳みホイール２０／２０’が予め決められた位置まで回転すると、空気抜き器２５は、弁３０／３０’を介して折り畳みホイール２０／２０’の吸引チャネル２２１２／２２１４の部分に流体接続される。したがって、空気抜き器２５は、接続開口３６／３６’、弁チャネル３４／３４’、弁開口３２／３２’及び接続チャネル２２１６を介して、吸引チャネル２２１２／２２１４の部分のガスを引き抜き、吸引チャネル２２１２／２２１４の部分上で負圧を形成できる。
カッタホイール５０／５１を通る繊維製品Ｌは、吸引チャネル２２１２／２２１４上の負圧によって折り畳みホイール２０／２０’に対して吸引されることができる。さらに、折り畳みフィンガ４０／４０’が上下にスイングし、折り畳みホイール２０／２０’を通る繊維製品Ｌを折り畳む。
【００３３】
要約すると、繊維製品吸引システムは、折り畳みホイール２０／２０’の高速の回転及び繊維製品Ｌの折り畳みを容易にするように、均一な負圧を迅速に生成することが可能である。加えて、繊維製品吸引システムは、折り畳みホイール２０／２０’によって吸引される繊維製品Ｌの変形を回避することもでき、それによって、折り畳まれた紙の質を改善する。
【００３４】
上記の開示は、本発明の好ましい実施形態に過ぎず、本発明の範囲を限定するように用いられるべきではない。本発明の特許請求の範囲において記載される形状、構造、特徴及び主旨に基づく全ての均等な変形形態及び変更形態を、本発明の特許請求の範囲に含めるものとする。
【図１】
2020070193.tif 000003
【図２】
2020070193.tif 000004
【図３】
2020070193.tif 000005
【図４】
2020070193.tif 000006
【図５】
2020070193.tif 000007
【図６】
2020070193.tif 000008
【図７】
2020070193.tif 000009
【図８】
2020070193.tif 000010
【図９】
2020070193.tif 000011
【図１０】
2020070193.tif 000012